【手続補正書】
【提出日】平成30年2月8日(2018.2.8)
【手続補正１】
【補正対象書類名】特許請求の範囲
【補正対象項目名】全文
【補正方法】変更
【補正の内容】
【特許請求の範囲】
【請求項１】
無線通信システムにおいて端末（ＵＥ）がアップリンク送信電力を制御する方法であって、前記方法は、
二重接続においてマスタｅＮｏｄｅＢ（ｅＮＢ）から上位階層を介して電力制御モードの指示を受信することと、
前記ＭｅＮＢと２次ｅＮＢ（ＳｅＮＢ）との間のタイミング差に基づいて、二重接続において前記ＭｅＮＢ及び前記ＳｅＮＢが相互に非同期であるかまたは同期であるかを決定することと、
前記電力制御モードの指示と、前記ＭｅＮＢ及び前記ＳｅＮＢが非同期であるかまたは同期であるかとに基づいて、前記ＳｅＮＢのための送信電力を決定することと、
前記ＳｅＮＢのための送信電力に基づいて、前記ＳｅＮＢにアップリンク信号を送信することと
を含む、方法。
【請求項２】
前記ＵＥが非同期二重接続をサポートするか否かについてのＵＥ能力を前記ｅＮＢに送信することを含む、請求項１に記載の方法。
【請求項３】
前記ＵＥ能力は、前記ＵＥが前記非同期二重接続をサポートしないことを指示する、請求項２に記載の方法。
【請求項４】
前記電力制御モードの指示は、同期二重接続のための電力制御モードを指示する、請求項３に記載の方法。
【請求項５】
前記ＵＥ能力は、前記ＵＥが前記非同期二重接続をサポートすることを指示する、請求項２に記載の方法。
【請求項６】
前記電力制御モードの指示は、同期二重接続のための電力制御モードまたは非同期二重接続のための電力制御モードを指示する、請求項５に記載の方法。
【請求項７】
前記ＭｅＮＢ及び前記ＳｅＮＢは、前記ＭｅＮＢと前記ＳｅＮＢとの間の前記タイミング差が所定の閾値に等しいかまたは前記所定の閾値より小さいとき、相互に同期である、請求項１〜６のいずれかに記載の方法。
【請求項８】
前記ＭｅＮＢ及び前記ＳｅＮＢは、前記ＭｅＮＢと前記ＳｅＮＢとの間の前記タイミング差が所定の閾値より大きいとき、相互に非同期である、請求項１〜７のいずれかに記載の方法。
【請求項９】
無線通信システムにおける端末（ＵＥ）であって、前記ＵＥは、
メモリと、
無線周波数（ＲＦ）ユニットと、
前記メモリ及び前記ＲＦユニットに結合されたプロセッサであって、前記プロセッサは、
二重接続においてマスタｅＮｏｄｅＢ（ｅＮＢ）から上位階層を介して電力制御モードの指示を受信するように前記ＲＦユニットを制御し、
前記ＭｅＮＢと２次ｅＮＢ（ＳｅＮＢ）との間のタイミング差に基づいて、二重接続において前記ＭｅＮＢ及び前記ＳｅＮＢが相互に非同期であるかまたは同期であるかを決定し、
前記電力制御モードの指示と、前記ＭｅＮＢ及び前記ＳｅＮＢが非同期であるかまたは同期であるかとに基づいて、前記ＳｅＮＢのための送信電力を決定し、
前記ＳｅＮＢのための送信電力に基づいて前記ＳｅＮＢにアップリンク信号を送信するように前記ＲＦユニットを制御する、プロセッサと
を備える、ＵＥ。
【請求項１０】
前記プロセッサは、前記ＵＥが非同期二重接続をサポートするか否かについてのＵＥ能力を前記ｅＮＢに送信するように前記ＲＦユニットをさらに制御する、請求項９に記載のＵＥ。
【請求項１１】
前記ＵＥ能力は、前記ＵＥが前記非同期二重接続をサポートしないことを指示する、請求項１０に記載のＵＥ。
【請求項１２】
前記電力制御モードの指示は、同期二重接続のための電力制御モードを指示する、請求項１１に記載のＵＥ。
【請求項１３】
前記ＵＥ能力は、前記ＵＥが前記非同期二重接続をサポートすることを指示する、請求項１０に記載のＵＥ。
【請求項１４】
前記電力制御モードの指示は、同期二重接続のための電力制御モードまたは非同期二重接続のための電力制御モードを指示する、請求項１３に記載のＵＥ。
【請求項１５】
前記ＭｅＮＢ及び前記ＳｅＮＢは、前記ＭｅＮＢと前記ＳｅＮＢとの間の前記タイミング差が所定の閾値に等しいかまたは前記所定の閾値より小さいとき、相互に同期である、請求項９〜１４のいずれかに記載のＵＥ。
【請求項１６】
前記ＭｅＮＢ及び前記ＳｅＮＢは、前記ＭｅＮＢと前記ＳｅＮＢとの間の前記タイミング差が所定の閾値より大きいとき、相互に非同期である、請求項９〜１５のいずれかに記載のＵＥ。
【手続補正２】
【補正対象書類名】明細書
【補正対象項目名】００１５
【補正方法】変更
【補正の内容】
【００１５】
本発明によると、ＭｅＮＢ及びＳｅＮＢが非同期かまたは同期かが決定され、そして送信電力のためのパラメータ値がＭｅＮＢ及びＳｅＮＢが非同期かまたは同期かを利用して決定されることができる。
本発明は、例えば、以下を提供する。
（項目１）
無線通信システムにおいて、ユーザ装置により、アップリンク送信電力を制御する方法において、
ダウンリンクチャネル上の信号を受信し、前記信号は、電力制御モードを指示する送信電力に対する情報を含む、ステップ；
１次セル（ＰＣｅｌｌ：ｐｒｉｍａｒｙ  ｃｅｌｌ）及び２次セル（ＳＣｅｌｌ：ｓｅｃｏｎｄａｒｙ  ｃｅｌｌ）が非同期かまたは同期かを決定するステップ；
前記Ｐセル及びＳセルが非同期かまたは同期かに基づいて、前記送信電力に対する情報を利用して、前記Ｓセルに対する最大送信電力を決定するステップ；及び、
前記Ｓセルに対する前記最大送信電力に基づいて前記Ｓセルに信号を送信するステップ；を含む、送信電力制御方法。
（項目２）
前記Ｓセルのサブフレームは、前記Ｐセル及びＳセルが非同期である場合、前記Ｐセルのサブフレームと重なり、
前記Ｓセルのサブフレームの電力ヘッドルームは、前記Ｐセルの前記重なったサブフレームのうち一つに基づいて決定される、項目１に記載の送信電力制御方法。
（項目３）
前記Ｓセルのｎ番目のサブフレームに対する最大送信電力は、前記Ｐセルの（ｋ＋１）番目のサブフレームと重なるＳセルのｎ番目のサブフレームの最大送信電力及びＳセルのｎ番目のサブフレームの最大送信電力と前記Ｓセルのｎ番目のサブフレームが前記Ｐセルのｋ番目及び（ｋ＋１）番目のサブフレームと重なる場合、前記Ｐセルのｋ番目のサブフレームに対して使われた送信電力の差のうち小さい送信電力に基づいて決定される、項目２に記載の送信電力制御方法。
（項目４）
前記Ｐセルと前記Ｓセルとの間の送信時間差があらかじめ決定された閾値より大きい場合、前記Ｐセル及び前記Ｓセルは同期として決定される、項目１に記載の送信電力制御方法。
（項目５）
総送信電力は、前記Ｓセル及び前記Ｐセルのサブフレームが重なる場合、サブフレーム境界で前記最大送信電力を超過しないように調整される、項目１に記載の送信電力制御方法。
（項目６）
前記Ｐセル及び前記Ｓセルのうち一つに対して送信がない場合、前記Ｐセル及び前記Ｓセルに対して送信電力が共有されない、項目１に記載の送信電力制御方法。
（項目７）
無線通信システムにおけるアップリンク（ＵＬ）送信電力を制御するための装置において、
無線信号を送信して受信するための無線周波数（ＲＦ）ユニット−前記無線信号は、電力制御モードを指示する送信電力に対する情報を含む−；及び、
前記ＲＦユニットと動作的に結合されるプロセッサ−前記プロセッサは、ＵＬ及び／またはダウンリンク（ＤＬ）に対するスケジューリングに基づいて前記ＲＦユニットを介して信号を送信するように構成される−を含み、
前記プロセッサは、１次セル（ＰＣｅｌｌ：ｐｒｉｍａｒｙ  ｃｅｌｌ）及び２次セル（ＳＣｅｌｌ：ｓｅｃｏｎｄａｒｙ  ｃｅｌｌ）が非同期かまたは同期かを決定し、そして前記Ｐセル及びＳセルが非同期かまたは同期かに基づいて、前記送信電力に対する情報を利用して、Ｓセルに対する最大送信電力を決定し；そして
前記ＲＦユニットは、前記Ｓセルに対する前記最大送信電力に基づいて前記Ｓセルに無線信号を送信する、送信電力制御装置。
（項目８）
前記Ｓセルのサブフレームは、前記Ｐセル及びＳセルが非同期である場合、前記Ｐセルのサブフレームと重なり、
前記プロセッサは、前記Ｐセルの前記重なったサブフレームのうち一つに基づいて前記Ｓセルのサブフレームの電力ヘッドルームを決定する、項目７に記載の送信電力制御装置。
（項目９）
前記プロセッサは、前記Ｐセルの（ｋ＋１）番目のサブフレームと重なるＳセルのｎ番目のサブフレームの最大送信電力及びＳセルのｎ番目のサブフレームの最大送信電力と前記Ｓセルのｎ番目のサブフレームが前記Ｐセルのｋ番目及び（ｋ＋１）番目のサブフレームと重なる場合、前記Ｐセルのｋ番目のサブフレームに対して使われた送信電力の差のうち小さい送信電力に基づいて前記Ｓセルのｎ番目のサブフレームに対する最大送信電力を決定する、項目８に記載の送信電力制御装置。
（項目１０）
前記プロセッサは、前記Ｐセルと前記Ｓセルとの間の送信時間差があらかじめ決定された閾値より大きい場合、前記Ｐセル及び前記Ｓセルは同期として決定する、項目７に記載の送信電力制御装置。
（項目１１）
前記プロセッサは、前記Ｓセル及び前記Ｐセルのサブフレームが重なる場合、サブフレーム境界で前記最大送信電力を超過しないように総送信電力を調整する、項目７に記載の送信電力制御装置。
（項目１２）
前記プロセッサは、前記Ｐセル及び前記Ｓセルのうち一つに対して送信がない場合、前記Ｐセル及び前記Ｓセルのうち一つに対して全ての送信電力を利用する、項目７に記載の送信電力制御装置。